(57)【要約】【課題】画像データを削除するときに、ユーザが意図しない削除結果を招いてしまうことを防止し、使い勝手を向上させる。【解決手段】同一シーンを同時記録した複数種類の画像データを保存する記憶装置から削除対象とする画像データの選択操作が行われるとき、前記複数種類の中から削除対象とする種類を選択させ（図８（ａ））、前記記憶装置内の画像データのうち前記選択された種類の画像データを表示画面に表示し（図８（ｃ）（ｄ）、該表示に係る画像データの削除指示が入力されたとき該画像データを削除する（図８（ｆ））。【選択図】図８
2008245071.tif 000002
【特許請求の範囲】
【請求項１】
同一シーンを同時記録した複数種類の画像データを保存する記憶装置から削除対象とする画像データの選択操作が行われるとき、前記複数種類の中から削除対象とする種類の選択入力を受け付け、前記記憶装置内の画像データのうち前記選択された種類の画像データを表示画面に表示し、該表示に係る画像データの削除指示が入力されたとき該画像データを削除することを特徴とする画像データ削除方法。
【請求項２】
前記複数種類の中から削除対象とする種類の選択入力を受け付ける処理を、前記選択操作が行われる前に予め行うことを特徴とする請求項１に記載の画像データ削除方法。
【請求項３】
同一シーンを同時記録した複数種類の画像データを保存する記憶装置から削除対象とする画像データの選択操作が行われるとき、前記記憶装置内の削除対象とする画像データを表示画面に表示すると共に、該画像データの種類、及び存在する場合には該画像データと同時記録され前記記憶装置内に残っている画像データの種類を前記表示画面に表示し、該表示画面に表示されている画像データ及び種類が選択され削除指示が入力されたとき該種類にかかる前記画像データを削除することを特徴とする画像データ削除方法。
【請求項４】
前記表示画面に前記画像データを表示するとき画面分割して複数の画像データを同時に一画面に表示することを特徴とする請求項１乃至請求項３のいずれかに記載の画像データ削除方法。
【請求項５】
同一シーンを同時記録した複数種類の画像データを保存する記憶装置から削除対象とする画像データの選択操作を行わせる第１処理ステップと、前記複数種類の中から削除対象とする種類の選択入力を受け付ける第２処理ステップと、前記記憶装置内の画像データのうち前記選択された種類の画像データを表示画面に表示する第３処理ステップと、該表示に係る画像データの削除指示が入力されたとき該画像データを削除する第４処理ステップとを備えることを特徴とする画像データ削除プログラム。
【請求項６】
前記第２処理ステップを、前記第１処理ステップの前に予め実行することを特徴とする請求項５に記載の画像データ削除プログラム。
【請求項７】
同一シーンを同時記録した複数種類の画像データを保存する記憶装置から削除対象とする画像データの選択操作を行わせる第１処理ステップと、前記記憶装置内の削除対象とする画像データを表示画面に表示する第２処理ステップと、該画像データの種類及び存在する場合には該画像データと同時記録され前記記憶装置内に残っている画像データの種類を前記表示画面に表示する第３処理ステップと、該表示画面に表示されている画像データ及び種類が選択され削除指示が入力されたとき該種類にかかる前記画像データを削除する第４処理ステップとを備えることを特徴とする画像データ削除プログラム。
【請求項８】
前記表示画面に前記画像データを表示するとき画面分割して複数の画像データを同時に一画面に表示することを特徴とする請求項５乃至請求項７のいずれかに記載の画像データ削除プログラム。
【請求項９】
同一シーンを同時記録した複数種類の画像データを保存する記憶装置から削除対象とする画像データの選択操作を行わせる第１処理手段と、前記複数種類の中から削除対象とする種類の選択入力を受け付ける第２処理手段と、前記記憶装置内の画像データのうち前記選択された種類の画像データを表示画面に表示する第３処理手段と、該表示に係る画像データの削除指示が入力されたとき該画像データを削除する第４処理手段とを備えることを特徴とする画像データ削除装置。
【請求項１０】
前記第２処理手段による処理を、前記第１処理手段の処理より前に予め実行することを特徴とする請求項９に記載の画像データ削除装置。
【請求項１１】
同一シーンを同時記録した複数種類の画像データを保存する記憶装置から削除対象とする画像データの選択操作を行わせる第１処理手段と、前記記憶装置内の削除対象とする画像データを表示画面に表示する第２処理手段と、該画像データの種類及び存在する場合には該画像データと同時記録され前記記憶装置内に残っている画像データの種類を前記表示画面に表示する第３処理手段と、該表示画面に表示されている画像データ及び種類が選択され削除指示が入力されたとき該種類にかかる前記画像データを削除する第４処理手段とを備えることを特徴とする画像データ削除装置。
【請求項１２】
前記表示画面に前記画像データを表示するとき画面分割して複数の画像データを同時に一画面に表示することを特徴とする請求項９乃至請求項１１のいずれかに記載の画像データ削除装置。
【請求項１３】
被写体の画像データを撮像する固体撮像素子と、画像データを記録する記憶装置と、前記固体撮像素子から出力される画像データを複数種類の画像データとして前記記憶装置に同時記録する画像処理手段と、表示画面と、選択操作の入力を受け付けるキー入力手段と、請求項５乃至請求項８のいずれかに記載の画像データ削除プログラムを格納したメモリと、該画像データ削除プログラムを実行する制御手段とを備えることを特徴とする撮影装置。
【発明の詳細な説明】
【技術分野】
【０００１】
本発明は、同一シーンを少なくとも２種類の画像データで同時記録したときの画像データ削除方法，画像データ削除装置，画像データ削除プログラム，撮影装置に関する。
【背景技術】
【０００２】
撮影装置で被写体を撮像した場合、多くの撮影装置では、撮像して得た画像データをＪＰＥＧ形式の画像フォーマットに圧縮し、記録メディアに格納している。また、近年の撮影装置では、撮像した画像データをそのままの非圧縮画像データ（所謂、ＲＡＷデータ）として記録メディアに格納したり、或いは、ＲＡＷデータを圧縮して得たＪＰＥＧ画像データと元のＲＡＷデータとの２種類の画像データを共に記録メディアに格納するものもある。
【０００３】
この様に同一撮影の２種類の画像データを共に記録メディアに格納する場合には、格納する画像データ量が増えるため、記録メディアの空き容量不足に陥ることが多くなる。この様なときは、記録メディアに保存されている画像データのうち、不要な画像データを削除して対応することになる。
【０００４】
特許文献１記載の従来技術では、撮影直後にその撮影した画像データの削除指令が入力された場合、同一撮影に関わる複数の画像データ（上記の例では、ＲＡＷデータ及びＪＰＥＧデータの２つの画像データ）を同時に削除している。しかし、両方の画像データを一緒に削除してしまうと、その撮影シーンの画像データは何も残らないため、後で後悔することがある。
【０００５】
また、この従来技術では、再生モード時に削除指示が入力された場合には、ＲＡＷデータのみの削除、ＪＰＥＧデータのみの削除を可能にしている。しかし、撮影装置背面に設けられた小さなディスプレイに削除対象となる画像データを表示させた場合、ＲＡＷデータの表示とＪＰＥＧデータの表示との差を画面で確認することはできず、どちらを削除すれば良いかの判断に迷ってしまうという問題がある。
【０００６】
特許文献２記載の従来技術では、画像データを記録メディアに書き込み保存するときに、ＲＡＷデータとＪＰＥＧ画像データとを共に自動的に記録メディアに書き込むのではなく、撮影後に、データ量の大きいＲＡＷデータの書き込みを行うか否かをユーザに選択させ、記録メディアの容量確保と書き込み時間の短縮を図っている。
【０００７】
しかし、この方法は、撮影後に一々ユーザがＲＡＷデータの書き込み指示を入力する必要が生じ、連続して撮影を行わなければならないとき、シャッターチャンスを逃すことになってしまう。
【０００８】
特許文献３記載の従来技術では、ユーザが指定した検索条件によって画像データを検索し、その条件にあった画像データだけを削除対象とすることで、ユーザが望む画像データのみの削除を容易に行えるようにしている。
【０００９】
この従来技術では、画像データの検索条件を指定することで、ＪＰＥＧ画像データのみを削除対象としたり、ＲＡＷデータのみを削除対象としたりすることができる。しかし、例えばＲＡＷデータを削除対象としたときに、これと対になるＪＰＥＧ画像データが存在するか否かの確認ができないため、使い勝手が悪く、ＲＡＷデータだけを削除したつもりでもＪＰＥＧ画像データが無く、後で後悔する事態が生じる。
【００１０】
【特許文献１】特開２００６−２０３８０９号公報
【特許文献２】特開２００４−１０４６０１号公報
【特許文献３】特開２００１−１６０９５１号公報
【発明の開示】
【発明が解決しようとする課題】
【００１１】
上述した従来技術は、ＲＡＷデータとＪＰＥＧデータの両方を記録メディアに保存できる撮影装置において、ユーザの使い勝手の向上を図っているが、未だ十分ではなく、ユーザの意図しない結果を招いてしまうという問題がある。
【００１２】
本発明の目的は、ユーザの意図しない画像データ削除結果を招くことが少なく使い勝手の優れた画像データ削除方法，画像データ削除装置，画像データ削除プログラム，撮影装置を提供することにある。
【課題を解決するための手段】
【００１３】
本発明の画像データ削除方法，画像データ削除装置，画像データ削除プログラムは、同一シーンを同時記録した複数種類の画像データを保存する記憶装置から削除対象とする画像データの選択操作が行われるとき、前記複数種類の中から削除対象とする種類の選択入力を受け付け、前記記憶装置内の画像データのうち前記選択された種類の画像データを表示画面に表示し、該表示に係る画像データの削除指示が入力されたとき該画像データを削除することを特徴とする。
【００１４】
本発明の画像データ削除方法，画像データ削除装置，画像データ削除プログラムは、前記複数種類の中から削除対象とする種類の選択入力を受け付ける処理を、前記選択操作が行われる前に予め行うことを特徴とする。
【００１５】
本発明の画像データ削除方法，画像データ削除装置，画像データ削除プログラムは、同一シーンを同時記録した複数種類の画像データを保存する記憶装置から削除対象とする画像データの選択操作が行われるとき、前記記憶装置内の削除対象とする画像データを表示画面に表示すると共に、該画像データの種類、及び存在する場合には該画像データと同時記録され前記記憶装置内に残っている画像データの種類を前記表示画面に表示し、該表示画面に表示されている画像データ及び種類が選択され削除指示が入力されたとき該種類にかかる前記画像データを削除することを特徴とする。
【００１６】
本発明の画像データ削除方法，画像データ削除装置，画像データ削除プログラムは、前記表示画面に前記画像データを表示するとき画面分割して複数の画像データを同時に一画面に表示することを特徴とする。
【００１７】
本発明の撮影装置は、被写体の画像データを撮像する固体撮像素子と、画像データを記録する記憶装置と、前記固体撮像素子から出力される画像データを複数種類の画像データとして前記記憶装置に同時記録する画像処理手段と、表示画面と、選択操作の入力を受け付けるキー入力手段と、上記のいずれかに記載の画像データ削除プログラムを格納したメモリと、該画像データ削除プログラムを実行する制御手段とを備えることを特徴とする。
【発明の効果】
【００１８】
本発明によれば、画像データを削除するときに、ユーザが意図しない削除結果を招いてしまうことが少なくなり、使い勝手が更に向上する。
【発明を実施するための最良の形態】
【００１９】
以下、本発明の一実施形態について、図面を参照して説明する。
【００２０】
図１は、本発明の一実施形態に係る撮影装置の機能ブロック図である。本実施形態の撮影装置１は、被写体からの光学像を電気信号に変換するＣＣＤ等の固体撮像素子１１と、固体撮像素子１１の出力信号に相関二重サンプリング処理や利得制御処理などを施すＣＤＳＡＭＰ部１２と、ＣＤＳＡＭＰ部１２から出力されるアナログの撮像画像信号をデジタル信号に変換するＡ／Ｄ変換部１３と、固体撮像素子１１の駆動タイミング信号を発生するタイミングジェネレータ１４と、撮影装置１の全体を統括制御する演算処理部（ＣＰＵ）１５とを備える。
【００２１】
ＣＰＵ１５には、ユーザからの指示入力を受け付けるキー入力部（レリーズボタンや電源オンオフボタン、ＯＫ／十字ボタン、モード切換ボタン、削除指示ボタン、キャンセルボタン等を含む）１７と、固体撮像素子１１の前面に配置された図示しない撮影レンズのズーム位置制御やフォーカス位置制御，絞り位置制御を行う各種モータのモータドライバ１８とが接続されると共に、ＣＰＵ１５は、検出部１９が検出したズーム位置，フォーカス位置，絞り位置を取り込み、各種制御を行う。また、ＣＰＵ１５は、ＣＤＳＡＭＰ部１２の制御も行う。
【００２２】
この撮影装置１は、更に、Ａ／Ｄ変換部１３から出力されたデジタル画像信号を取り込む画像入力コントローラ２１と、ＡＦ（自動焦点）検出回路２２と、画像信号処理回路２３と、ＡＥ（自動露出）およびＡＷＢ（オートホワイトバランス）検出部２４と、画像データをＪＰＥＧ画像データに圧縮する圧縮処理回路２５と、メインメモリとして使用されるＳＤＲＡＭ（Synchronous Dynamic Random Access Memory）２６と、液晶などの表示パネル２９の表示制御を行うビデオエンコーダ２７と、ＶＲＡＭ（Video Random Access Memory）２８と、着脱自在に装着される記録メディア３５の読み書き制御を行うメディアコントローラ３０と、日付データ等を保存するＳＲＡＭ（Static Random Access Memory）３１と、これら及びＣＰＵ１５を相互接続するバス３３と、ＳＲＡＭ３１の保存内容を保持するコンデンサ（キャパシタ）等のバックアップ電源３４とを備える。また、図示しない電源部を備え、この電源部から上記の各構成回路に電源が供給される。
【００２３】
斯かる撮影装置１では、電源スイッチが投入され且つ記録モード（撮影モード）になっている状態では、固体撮像素子１１から、常時（１秒間に１０フレームとか２０フレームで）、撮像画像データがスルー画像データとして出力される状態になっている。このスルー画像データは、ＣＤＳＡＭＰ部１２→Ａ／Ｄ変換回路１３→画像入力コントローラ２１→バス３３と流れ、このスルー画像データにより、ＡＦ検出回路２２が被写体までの焦点距離を計測し、ＡＥ／ＡＷＢ検出回路２４は、被写体の測光とオートホワイトバランス量の計測を行っている。
【００２４】
そして、シャッタレリーズボタンが押下されると、被写体の静止画が撮像され、固体撮像素子１１からＲ（赤）Ｇ（緑）Ｂ（青）の画素信号で構成された静止画像データが出力される。この静止画像データは、ＣＤＳＡＭＰ部１２→Ａ／Ｄ変換回路１３→画像入力コントローラ２１→バス３３と流れ、ＳＤＲＡＭ２６に一時的に保存される。
【００２５】
画像信号処理回路２３は、ＳＤＲＡＭ２６に一時的に保存された非圧縮状態の画像データ（ＲＡＷデータ）に対し、ＲＧＢ／ＹＣ変換処理やガンマ補正処理等の画像処理を施すと共に圧縮処理回路２５がこれを更にＪＰＥＧ画像データに変換する。また、ＪＰＥＧ画像データを表示パネル２９の画素数となるように間引き処理してＶＲＡＭ２８に転送し、ビデオエンコーダ２７がＶＲＡＭ２８上の画像データを表示パネル２９に表示する。また、ＪＰＥＧ画像データからサムネイル画像データが生成され、これがＲＡＷデータのイグジフ（ｅｘｉｆ）情報内に保存され、このＲＡＷデータ及びＪＰＥＧ画像データが、記録メディア３５に書き込まれ、書き込み後にＳＤＲＡＭ２６内の画像データが削除される。
【００２６】
この様な処理が被写体の撮像毎に繰り返され、画像データ（同一撮影で得られたＲＡＷデータ及びＪＰＥＧ画像データ）が記録メディア３５に蓄積されていくと、記録メディア３５の空き容量が少なくなっていく。この場合、ユーザは、撮影装置１を操作して不要な画像データを削除することになる。
【００２７】
図２は、ユーザが、予め、撮影装置１に優先削除の対象とする画像データを設定するときの撮影装置背面を示す図である。撮影装置１の背面には、モード切換ボタン４１と、削除ボタン４２と、キャンセルボタン４３と、ＯＫボタン４４と、ＯＫボタン４４を取り囲むように設けられた環状の十字ボタン（傾けた方向にパネル２９上の表示カーソルが移動したりする）４５とが設けられている。
【００２８】
ユーザがモード切換ボタン４１を操作して優先削除の対象設定モードに入ると、図２（ａ）に示す様に「種類を選択」する画面が表示され、「重複ＲＡＷ」「重複ＪＰＥＧ」「全て」の選択肢が表示される。
【００２９】
「重複ＲＡＷ」とは、記録メディア３５に、ＲＡＷデータ及びＪＰＥＧ画像データが両方とも同時記録されているときＲＡＷデータを優先して削除することを示している。「重複ＪＰＥＧ」とは、記録メディア３５に、ＲＡＷデータ及びＪＰＥＧ画像データが両方とも同時記録されているとき優先してＪＰＥＧ画像データを削除することを示している。「全て」とは両方共に削除することを示している。
【００３０】
ユーザが、十字ボタン４５を操作し、カーソルを「重複ＲＡＷ」に合わせてＯＫボタン４４を押すと、選択した内容を示す画面が図２（ｂ）に示す様に表示される。
【００３１】
図３は、本発明の第１実施形態に係る画像データ削除処理手順を示すフローチャートである。この処理手順が記述されたプログラムは、ＣＰＵ１５内の書き換え可能ＲＯＭ等に格納されており、ユーザがモード選択ボタン４１を操作して画像削除モードに入ったとき、読み出され、実行される。尚、この実施形態では、図２で説明した優先削除の設定が予め行われているものとする。
【００３２】
撮影装置１で撮影している最中に記録メディア３５の空き容量が不足したとき等に、ユーザが図２に示すモード切換ボタン４１を操作して削除モードに入ると、先ず、特定画像があるか否かが判定される（ステップＳ１）。
【００３３】
特定画像とは、図２（ａ）の選択画面で選択した画像データのことである。この例では、「重複ＲＡＷ」の画像データである。従って、ＪＰＥＧ画像データは優先削除の対象ではなく、対応するＪＰＥＧ画像データが無いＲＡＷデータも優先削除の対象ではない。
【００３４】
特定画像が存在する場合にはステップＳ２に進み、図４（ａ）に示す『重複ＲＡＷを削除対象とします』という確認表示を行って記録メディア３５内の「重複ＲＡＷ」の画像データを削除対象としてＣＰＵ１５内のＲＡＭ等にリストアップする。
【００３５】
ＲＡＷデータであるかＪＰＥＧ画像データであるかは、ファイル名の拡張子（例えば、ＲＡＷデータの場合には「ＲＡＦ」の拡張子が付き、ＪＰＥＧ画像データの場合には「ＪＰＧ」の拡張子が付く。）で判断できる。
【００３６】
同一シーンつまり同時記録された重複画像データであるか否かは、ファイル番号を同じにする様に設定されている撮影装置では、ファイル番号で判断できる。例えば、ＲＡＷデータのファイル名を「ＤＳＣＦ０００１．ＲＡＦ」としたとき重複ＪＰＥＧ画像データのファイル名を「ＤＳＣＦ０００１．ＪＰＧ」とする撮影装置では、ファイル番号「０００１」で判断できる。
【００３７】
あるいは、画像データに付けられるイグジフ（ｅｘｉｆ）データ内に、重複データ間の紐付け情報を格納する撮影装置であれば、この紐付け情報に基づいて判断できる。何も紐付け情報がなくても、同時記録の重複画像データの夫々にイグジフ情報として付加される各種情報（撮影日時情報，シャッタ速度情報，露出情報等）が一致していれば、重複画像データであると判断することができる。
【００３８】
ステップＳ１の判定の結果、記録メディア３５内に特定画像が存在しない場合には、記録メディア３５内の全画像データを削除対象としてリストアップする（ステップＳ３）。このとき、優先削除する画像データが無い旨の表示を行っても良い。
【００３９】
ステップＳ２あるいはステップＳ３の次にステップＳ４に進み、上記リストの最初の画像データを、図４（ｂ）に示す様に表示パネル２９に表示することで、この画像データを削除するか否かを問い合わせる。次にキャンセルボタン４３が押下されたか否かを判定し（ステップＳ５）、キャンセルボタン４３が押下された場合には、この図３の処理を終了する。
【００４０】
キャンセルボタン４３が押下されない場合には、次に、ＯＫ／十字ボタン４４，４５の入力があるか否かを判定し（ステップＳ６）、入力が無い場合にはステップＳ５に戻る。ステップＳ６で十字ボタン４５の入力があった場合には、ステップＳ７でリストの次の画像データを、図４（ｃ）に示す様に表示パネル２９に表示し、ステップＳ５に戻る。
【００４１】
ステップＳ６の判定の結果、ＯＫボタン４４が押下された場合にはステップＳ８に進み、表示パネル２９に表示されている画像データを削除する旨の確認表示を図４（ｄ）に示す様に行い、削除ボタン４２が押下されるか否かを判定する（ステップＳ９）。削除ボタン４２が押下されない場合には、ステップＳ５に戻る。
【００４２】
削除ボタン４２が押下された場合には、ステップＳ１０に進んでこの画像データを削除すると共に削除中は、図４（ｅ）の画面表示を行い、削除後にステップＳ１に戻り、以上の処理を繰り返す。
【００４３】
ステップＳ１０からステップＳ１に戻り、ステップＳ４での削除対象画像データの表示を行う場合には、上記リストの最初に戻って表示しても良いが、ステップＳ１０で削除した画像データの次の画像データから表示するのが良い。
【００４４】
図５は、本発明の第２実施形態に係る画像データ削除処理手順を示すフローチャートである。図３で説明した実施形態では、削除対象として表示する画像を表示パネル２９に１枚づつ表示したが、本実施形態では、複数枚たとえば４枚づつ表示し、これに対応した画データ削除方法を実現している。尚、図３の実施形態と同様の処理を行うステップには同じ符号を付してある。
【００４５】
先ず、ステップＳ１で特定画像が有るか否かを判定し、ステップＳ２で特定画像を削除対象化し（このとき、図６（ａ）の画面表示を行う。）、あるいはステップＳ３で全画像を削除対象化する。ここまでは、図３の実施形態と同様である。
【００４６】
次のステップＳ４では、削除対象画像として、図６（ｂ）に示す様に４枚の画像データを表示する。そして、ステップＳ５でキャンセルボタン４３の押下を判定し、キャンセルボタン４３の押下が無い場合には次のステップＳ６でＯＫ／十字ボタン４４，４５が操作されたか否かを判定する。
【００４７】
ステップＳ６の判定の結果、ボタン４４，４５の入力が無い場合には、次のステップＳ１１で、削除指示が削除ボタン４２から入力されたか否かを判定する。削除指示が入力された場合にはステップＳ１２に進み、当該画像データに対し、図６（ｃ）に示す様にチェック印を付け、ステップＳ５に戻る。
【００４８】
ステップＳ６で十字ボタン４５の入力があった場合にはステップＳ７に進み、図６（ｄ）（ｅ）に示す様に、十字ボタン４５の押された方向に画像選択カーソル（太線枠で示している。）を移動させる。移動先の画像データに対してステップＳ１１で削除指示が入力された場合には、図６（ｆ）に示す様に、チェック印を付ける。
【００４９】
ステップＳ６でＯＫボタン４４が押下されたと判定された場合には、次にステップＳ１３に進み、ステップＳ１２で付けられたチェック印が１つ以上あるか否かを判定する。チェック印が１つも無い場合には、ステップＳ１３からステップＳ１４に飛び、削除モードが終了したか否かを判定する。
【００５０】
削除モードが終了した場合にはこの図５の処理を終了し、削除モードが終了していない場合にはステップＳ１４からステップＳ１に戻り、次の４枚の画像データに対する削除判定の処理に進む。
【００５１】
ステップＳ１３の判定の結果、チェック印が１つ以上付けられている場合には、ステップＳ８に進み、図６（ｇ）に示す様に、削除確認画面を表示パネル２９に表示する。そして、ステップＳ９で削除ボタン４２が押下されたか否かを判定し、削除ボタン４２が押下されない場合にはステップＳ５に戻り、押下された場合にはステップＳ１０でチェック印の付いた画像データを削除し、ステップＳ１４に進む。ステップＳ１０における画像データの削除中は、図６（ｈ）に示す様に、削除中であることを表示パネル２９に表示する。
【００５２】
ステップＳ５における判定の結果、キャンセルボタン４３が押下された場合には、ステップＳ１５に進み、チェック印が１つ以上あるか否かを判定する。チェック印が無い場合にはこの図５の処理を終了する。
【００５３】
キャンセルボタン４３が押下された時にチェック印が１つ以上有る場合には、ステップＳ１６に進み、チェックされた画像データを削除しない旨を表示パネル２９に表示して画像データに付けられているチェック印を消去する。そして、次のステップＳ１７で削除モードが終了したか否かを判定し、削除モードが終了した場合には図５の処理を終了し、削除モードが終了していない場合にはステップＳ５に戻る。
【００５４】
図７は、本発明の第３実施形態に係る画像データ削除処理手順を示すフローチャートであり、図８は、この処理手順中に表示パネル２９に表示される画面例を示す図である。図３，図５の実施形態では、優先削除する画像データの種類を予め選択していたが、この実施形態では、優先削除する画像データの種類を予め選択していなかった場合の処理手順を示している。
【００５５】
この場合には、先ず、ステップＳ２１で、削除対象画像の種類をユーザに選択させる処理を行う。この処理は、図８（ａ）に示す選択画面を表示パネル２９に表示することで行う。
【００５６】
図示する実施形態では、選択肢として、「重複ＲＡＷ」「重複ＪＰＥＧ」「ＲＡＷ」「ＪＰＥＧ」「その他」「全て」が用意されている。「重複ＲＡＷ」「重複ＪＰＥＧ」の意味は図２で説明したのと同様である。「ＲＡＷ」とは対応するＪＰＥＧ画像データが無くてもＲＡＷデータを削除対象とすることを意味し、「ＪＰＥＧ」も同様である。
【００５７】
「その他」とは、記録メディア３５に音声データや動画像データを保存している場合には音声データや動画像データを指す。「全て」とは記録メディア３５に保存されている全ての種類のデータを指す。
【００５８】
ユーザが十字ボタン４５を操作し、例えば「ＲＡＷ」を選択してＯＫボタン４４を押下すると、図８（ｂ）に示す画面が表示されると共に、記録メディア３５内のＲＡＷデータのリストが作成される。
【００５９】
以下、ステップＳ４，Ｓ５，…，Ｓ１０と処理が進むが、これらの処理は、図３で説明した内容と同様であるため、その説明は省略する。
【００６０】
本実施形態では、図８（ｃ）（ｄ）に示す様に、ステップＳ４で削除対象画像を表示したとき、現在の記録メディアの空き容量と、表示中の画像を削除した後の空き容量とを表示するようにしている。これらの空き容量は、ユーザが画面を見てどの程度の空き容量であるかを容易に判断できるように、現在の撮影条件のもとでの撮影可能枚数で示している。
【００６１】
例えば、現在の撮影条件が「ＲＡＷ＋ＪＰＥＧ」で画像データを同時記録する設定になっている場合には、空き２枚とは、ＲＡＷ＋ＪＰＥＧで撮影したときの２枚分つまりＲＡＷ２枚＋ＪＰＥＧ２枚となる。例えば現在の撮影条件がＪＰＥＧのみの場合には、空き２枚とはＪＰＥＧ２枚となる。
【００６２】
本実施形態では、削除モードに入ったとき削除対象画像の種類を選択する様にしている。この様にすることで、どの種類の画像を削除対象とするのかをその場で決定できるため、ユーザの混乱を防ぐことができる。また、メディアの使用量が多い非圧縮画像を効率的に削除したり、不要となった圧縮画像を効率的に削除できるため、ユーザの使い勝手も向上する。
【００６３】
図１０は、本発明の第４実施形態に係る画像データ削除処理手順を示すフローチャートであり、図８は、この処理手順中に表示パネル２９に表示される画面例を示す図である。
【００６４】
上述した第３実施形態では、表示パネル２９に削除対象画像を１枚１枚表示しているが、この実施形態では、第２実施形態と同様に、一度に複数枚、図示する例では４枚の削除対象画像を表示し、第２実施形態と同様に、ユーザが削除したい画像のチェックボックス内にチェック印を付ける構成となっている。
【００６５】
本実施形態では、第３実施形態と同様に、先ず、ステップＳ２１で、削除対象画像の種類をユーザに選択させ、ステップＳ４で、削除対象画像を表示させる。以下の処理手順の内容は、図５に示す各ステップと同じであるため、同一処理ステップには同一符号を付してその説明は省略する。処理手順の内容は、第２実施形態と同様なため、同様な処理ステップには同じ符号を付し、詳細な説明は省略する。
【００６６】
図１１は、本発明の第５実施形態に係る画像データ削除処理手順を示すフローチャートであり、図１０は、この処理手順中に表示パネル２９に表示される画面例を示す図である。
【００６７】
本実施形態では、ＲＡＷデータとＪＰＥＧ画像データとが同時記録されているとき画像削除モードでどちらか一方のみを表示パネル２９に表示するが、ＲＡＷデータとＪＰＥＧデータとが両方存在することをアンコン等でユーザに通知させ、どちらを削除するかを選択させることにしている。この様にすることで、ユーザの混乱を防ぐことができ、メディアの使用量が多いＲＡＷデータを効率的に削除したり、不要となったＪＰＥＧ画像データを効率的に削除する様にしている。
【００６８】
そこで、この実施形態では先ず、ステップＳ４で削除対象画像を図１２（ａ）に示す様に表示パネル２９に表示する。この削除対象画像は、ＲＡＷデータしかないため、画面には「ＲＡＷ」だけを重ねて表示する。
【００６９】
削除対象画像がＲＡＷデータとＪＰＥＧデータの両方存在する場合には、図１２（ｂ）に示す様に、この画像に、「Ｒ＋Ｊ」を重ねて表示する。
【００７０】
次のステップＳ５では、キャンセルボタン４３の押下を判定し、押下されている場合にはこの図１１の処理を終了し、押下されていない場合にはステップＳ６に進み、ＯＫ／十字ボタン４４，４５が操作されたか否かを判定する。
【００７１】
十字ボタン４５が入力されていない場合にはステップＳ４に戻り、十字ボタンが入力されている場合には次の削除対象の画像データを読み出し（ステップＳ７）てステップＳ４に戻る。
【００７２】
ステップＳ６でＯＫボタン４４が押下されている場合には、ステップＳ６からステップＳ２２に進み、図１２（ｃ）に示す様に削除対象画像の種類の選択画面を表示し、図示する例では、ＲＡＷデータとＪＰＥＧデータのいずれかを選択させる。
【００７３】
次のステップＳ８では、図１２（ｄ）に示す様に、削除確認画面を表示し、削除ボタン４２が押下されたか否かを判定し、押下されないときはステップＳ４に戻り、押下された場合には、選択された種類の表示画像データを削除し（ステップＳ１０）、ステップＳ４に戻る。
【００７４】
図１２（ｆ）に示す様に、画像データがＲＡＷデータまたはＪＰＥＧデータの一方しか存在しない場合には、図１２（ａ）の画面表示は飛び越し、また、ステップＳ２２を飛ばして、その画像データの削除処理または非削除処理を行う。
【００７５】
図１３は、本発明の第６実施形態に係る画像データ削除処理手順を示すフローチャートであり、図１４は、この処理手順中に表示パネル２９に表示される画面例を示す図である。
【００７６】
上述した第５実施形態では、表示パネル２９に削除対象画像を１枚１枚表示しているが、この実施形態では、図５，図９の実施形態と同様に、一度に複数枚、図示する例では４枚の削除対象画像を表示し、第２実施形態と同様に、ユーザが削除したい画像のチェックボックス内にチェック印を付ける構成となっている。
【００７７】
本実施形態では、先ず、ステップＳ４で、図１３（ａ）に示す様に、４枚の削除対象画像及びその画像種類を表示パネル２９に表示する。以下の処理手順は、図９の処理手順と同じであるため、同一処理ステップには同一符号を付してその説明は省略する。
【００７８】
本実施形態では、４枚の画像と各画像種類「Ｒ」「Ｊ」とを表示し、各画像種類の右脇にチェックボックスが表示されるため、ユーザは、削除したい画像，種類をチェックボックス内にチェック印を入れることで選択する。これにより、ユーザは、どの画像のどの種類のデータを削除するかを容易に知ることができ、削除の要／不要の判断が容易となる。
【００７９】
尚、上述した各実施形態は、デジタルカメラ等の撮影装置内で画像データ削除プログラムを実行することで実現される例として説明したが、記録メディア３５の保存データをパーソナルコンピュータ等のハードディスクにコピーし、このハードディスク内の画像データを削除するときに上述した実施形態を適用することも可能である。
【００８０】
また、上述した実施形態では、非圧縮データ（ＲＡＷデータ）とＪＰＥＧ形式の圧縮データを例に説明したが、同一シーンを複数種類のフォーマット形式の画像データで同時記録された場合にも、上述した各実施形態を同様に適用可能である。画像のフォーマット形式には、ＴＩＦＦ形式，ＰＩＣＴ形式，ＢＭＰ形式その他、種々あるが、どの複数種類の形式でも良い。
【００８１】
更に、同一シーンを同時記録する例として、例えば３Ｄカメラの様に、一つの被写体を左右に設けたレンズを通して撮像するものがあるが、この様にして得られた右側画像と左側画像の一方を優先削除する、或いは選択削除する、全削除する場合にも、上述した実施形態を適用可能である。
【産業上の利用可能性】
【００８２】
本発明に係る画像データ削除方法などは、同一シーンを複数種類の画像データで同時記録したときの画像データの削除をユーザの使い勝手を考慮して行うことができるため、誤って削除して後で後悔することが少なく、デジタルカメラ等の撮影装置に適用すると有用である。
【図面の簡単な説明】
【００８３】
【図１】本発明の一実施形態に係る撮影装置の機能ブロック図である。
【図２】図１に示す撮影装置の背面斜視図である。
【図３】本発明の第１実施形態に係る画像データ削除処理手順を示すフローチャートである。
【図４】本発明の第１実施形態に係る処理手順の実行中に表示される画面例を示す図である。
【図５】本発明の第２実施形態に係る画像データ削除処理手順を示すフローチャートである。
【図６】本発明の第２実施形態に係る処理手順の実行中に表示される画面例を示す図である。
【図７】本発明の第３実施形態に係る画像データ削除処理手順を示すフローチャートである。
【図８】本発明の第３実施形態に係る処理手順の実行中に表示される画面例を示す図である。
【図９】本発明の第４実施形態に係る画像データ削除処理手順を示すフローチャートである。
【図１０】本発明の第４実施形態に係る処理手順の実行中に表示される画面例を示す図である。
【図１１】本発明の第５実施形態に係る画像データ削除処理手順を示すフローチャートである。
【図１２】本発明の第５実施形態に係る処理手順の実行中に表示される画面例を示す図である。
【図１３】本発明の第６実施形態に係る画像データ削除処理手順を示すフローチャートである。
【図１４】本発明の第６実施形態に係る処理手順の実行中に表示される画面例を示す図である。
【符号の説明】
【００８４】
１  撮影装置
１１  固体撮像素子
１５  ＣＰＵ（演算制御装置）
２９  表示パネル
３５  記録メディア（記憶装置）
４１  モード選択ボタン
４２  削除ボタン
４３  キャンセルボタン
４４  ＯＫボタン
４５  十字ボタン
【図１】
2008245071.tif 000003
【図２】
2008245071.tif 000004
【図３】
2008245071.tif 000005
【図４】
2008245071.tif 000006
【図５】
2008245071.tif 000007
【図６】
2008245071.tif 000008
【図７】
2008245071.tif 000009
【図８】
2008245071.tif 000010
【図９】
2008245071.tif 000011
【図１０】
2008245071.tif 000012
【図１１】
2008245071.tif 000013
【図１２】
2008245071.tif 000014
【図１３】
2008245071.tif 000015
【図１４】
2008245071.tif 000016